(57)【要約】  親機は、視聴する番組の受信選択時、受信番組の録画時、録画番組の再生時および各動作の終了時に、対応する番組名、送信局名および親機の現在の動作モード名を含む視聴情報を作成して視聴情報管理サーバ経由で子機に送信し、子機は、放送番組を選択する入力手段に設けられた「親機と同一の番組を視聴する」というオプションが選択されている場合、視聴情報管理サーバから受信した親機の最新の視聴情報に基づいて、親機が受信表示または受信録画していると同じ局名の番組を受信表示または受信録画する。
2010073506.tif 000002
【特許請求の範囲】
【請求項１】
放送やネット配信サービスの番組を受信表示、受信録画および再生する機能を備えたコンテンツ受信記録再生装置の少なくとも２台を親機および子機としてネットワークを介して視聴情報管理サーバに接続登録し、
前記親機は、視聴する番組の受信選択時、受信番組の録画時、録画番組の再生時および各動作の終了時に、対応する番組名、送信局名および親機の現在の動作モード名を含む視聴情報を作成して前記視聴情報管理サーバ経由で前記子機に送信し、
前記子機は、視聴する番組を選択する入力手段に設けられた「親機と同一の番組を視聴する」というオプションが選択されている場合、前記視聴情報管理サーバから受信した親機の最新の視聴情報に基づいて、親機が受信表示または受信録画していると同じ局名の番組を受信表示または受信録画することを特徴とする番組コンテンツ視聴システム。
【請求項２】
子機は、親機が現在視聴中・録画中の番組が子機が在る地区では現在放送されていないが、受信するＥＰＧ情報から将来放送予定であると判断される場合に、当該番組を録画予約により蓄積することを特徴とする請求項１記載の番組コンテンツ視聴システム。
【請求項３】
子機は、入力手段でオプションが選択されている場合であって、親機の最新の視聴情報により親機が録画番組の再生をしたときに、親機と同じ録画番組を蓄積している場合には当該同じ録画番組を再生表示することを特徴とする請求項１記載の番組コンテンツ視聴システム。
【請求項４】
親機は、視聴情報に記載する番組名、送信局名をＥＰＧ情報から取得することを特徴とする請求項１記載の番組コンテンツ視聴システム。
【請求項５】
親機は、当該親機のユーザが一定時間以上同一の番組を視聴したときに初めて視聴情報を作成しサーバへ送信することを特徴とする請求項１記載の番組コンテンツ視聴システム。
【請求項６】
放送やネット配信サービスの番組を受信表示、受信録画および再生する機能を備え、ネットワークを介して視聴情報管理サーバに接続して親機として登録されるコンテンツ受信記録再生装置であって、
視聴する番組の受信選択時、受信番組の録画時、録画番組の再生時および各動作の終了時に、対応する番組名、送信局名および親機の現在の動作モード名を含む視聴情報を作成して前記視聴情報管理サーバ経由で子機のコンテンツ受信記録再生装置に送信することを特徴とするコンテンツ受信記録再生装置。
【請求項７】
視聴情報に記載する番組名、送信局名をＥＰＧ情報から取得することを特徴とする請求項６記載のコンテンツ受信記録再生装置。
【請求項８】
当該装置のユーザが一定時間以上同一の番組を視聴したときに初めて視聴情報をサーバへ送信することを特徴とする請求項６記載のコンテンツ受信記録再生装置。
【請求項９】
放送やネット配信サービスの番組を受信表示、受信録画および再生する機能を備え、ネットワークを介して視聴情報管理サーバに接続して子機として登録されるコンテンツ受信記録再生装置であって、
視聴する番組を選択する入力手段に設けられた「親機と同一の番組を視聴する」というオプションが選択されている場合、視聴情報管理サーバから受信した親機で作成された、番組名、送信局名および親機の現在の動作モード名を含む最新の視聴情報に基づいて、親機が受信表示または受信録画していると同じ局名の番組を受信表示または受信録画することを特徴とするコンテンツ受信記録再生装置。
【請求項１０】
親機が現在視聴中・録画中の番組が当該子機装置が在る地区で現在放送されていないが、受信するＥＰＧ情報から将来放送予定であると判断される場合に、当該番組を録画予約により蓄積することを特徴とする請求項９記載のコンテンツ受信記録再生装置。
【請求項１１】
入力手段でオプションが選択されている場合であって、親機の最新の視聴情報により親機が録画番組の再生をしたときに、親機と同じ録画番組を蓄積している場合には当該同じ録画番組を再生表示することを特徴とする請求項９記載のコンテンツ受信記録再生装置。
【請求項１２】
親機は、録画番組の再生時に、前記録画番組の現在の親機における再生時間位置をも含む視聴情報を作成して視聴情報管理サーバ経由で子機に定期的に送信し、
子機は、前記親機と同じ録画番組を再生表示する際に、前記再生時間位置を参照し、前記親機と同一の再生時間位置によって当該同じ録画番組を再生表示することを特徴とする請求項３記載の番組コンテンツ視聴システム。
【請求項１３】
録画番組の再生時に、前記録画番組の再生時間位置をも含む視聴情報を作成して視聴情報管理サーバへ定期的に送信することを特徴とする請求項６記載のコンテンツ受信記録再生装置。
【請求項１４】
親機と同じ録画番組を再生する際に、視聴情報に前記親機の再生時間位置が含まれていた場合には前記同じ再生時間位置にて再生を行うことを特徴とする請求項１１記載のコンテンツ受信記録再生装置。
【発明の詳細な説明】
【技術分野】
【０００１】
この発明は、同じ番組を２台で別々に取得するが、同時に同じ動作形態で利用する番組コンテンツ視聴システムおよびこれに使用するコンテンツ受信記録再生装置に関するものである。
【背景技術】
【０００２】
従来、コンテンツを視聴する機器において、ネットワークを介して結ばれた複数の装置相互で同じタイトル（または番組）のコンテンツを同時に視聴し合う方法が考えられている。従来例として、複数の装置が、それぞれの録画済みのコンテンツのリストを、ネットワークを介して相互に送受信し、２つのリストを比較して共通するものを同期させ、それぞれのディスプレイで表示させた同じタイトルの録画コンテンツを見ながら相手と通話するという技術がある（例えば特許文献１参照）。これによれば、コンテンツそのものがネットワークを通らないため、伝送路の制限を受けずに同じタイトルのコンテンツを視聴できる。また、この場合、コンテンツの複製は行わないので、コンテンツに著作権が設定されていても問題は生じないというものである。【０００３】
また、他の従来例として、任意あるいは複数の視点でコンテンツを視聴できるようにしたコンテンツ視聴装置において、ネットワーク上の複数装置間で視点などの設定を同期する技術がある（例えば特許文献２参照）。この技術では、視点操作やザッピングなどをネットワーク越しに別装置に送信して同期することにより、同一の設定のもとで複数のユーザ間で同じコンテンツを視聴できるようにしている。また、ユーザ間で不満の起きないように交渉や順番によって同期対象を決定することができるようにしている。
【先行技術文献】
【特許文献】
【０００４】
【特許文献１】特開２００７−１５９０９８号公報
【特許文献２】特開２００６−００５４１５号公報
【発明の概要】
【０００５】
上記のような特許文献１による技術では、各々の装置で録画してある同じ番組のコンテンツを視聴するため、双方のユーザにはそれぞれ録画を行うための操作が要求される。また、コンテンツを視聴するためにユーザ同士で申し合わせる必要があるため、簡便に同じ番組を視聴できず、また、双方のユーザが申し合わせたその時のみしか同じ番組を視聴することができないという問題がある。
一方、特許文献２による技術では、ユーザは誰にどのように設定を同期するかという選択操作が必要であり、簡便に同じ番組を視聴できないという問題がある。また、一方のユーザが番組を視聴している時のみしか、もう一方のユーザは同じ番組を視聴することができないという制限がある。
【０００６】
この発明は、上記問題点を解決するためになされたもので、或るユーザが視聴していると同じ番組を、異なるユーザが簡便な操作により受信し同時に視聴可能にする番組コンテンツ視聴システムおよびコンテンツ受信記録再生装置を得ることを目的とする。
【０００７】
この発明に係る番組コンテンツ視聴システムは、放送やネット配信サービスの番組を受信表示、受信録画および再生する機能を備えたコンテンツ受信記録再生装置の少なくとも２台を親機および子機としてネットワークを介して視聴情報管理サーバに接続登録し、親機は、視聴する番組の受信選択時、受信番組の録画時、録画番組の再生時および各動作の終了時に、対応する番組名、送信局名および親機の現在の動作モード名を含む視聴情報を作成して視聴情報管理サーバ経由で子機に送信し、子機は、視聴する番組を選択する入力手段に設けられた「親機と同一の番組を視聴する」というオプションが選択されている場合、視聴情報管理サーバから受信した親機の最新の視聴情報に基づいて、親機が受信表示または受信録画していると同じ局名の番組を受信表示または受信録画するようにしたものである。
【０００８】
この発明によれば、親機のユーザは一般的な番組選択、番組録画、再生のみの操作で、放送や配信される番組または録画番組を視聴し、一方、子機のユーザは視聴番組選択に設けたオプションを選択する以外に特別な操作を一切することなく、親機と同じ受信番組または録画番組を簡便に視聴することが可能になる。
【図面の簡単な説明】
【０００９】
【図１】この発明の実施の形態１におけるコンテンツ受信記録再生装置を複数ネットワークに接続したシステム構成を示すブロック図である。
【図２】同実施の形態１に係る視聴情報のデータ構成例を示す説明図である。
【図３】同実施の形態１に係る親機における視聴情報の送信処理を示すフローチャートである。
【図４】同実施の形態１に係る親機での「視聴」に対する子機での視聴処理を示すフローチャートである。
【図５】同実施の形態１に係る親機での「録画済み番組の再生」に対する子機での録画済み番組の再生処理を示すフローチャートである。
【図６】同実施の形態１に係る親機で既に「録画済み番組の再生終了」となっている子機の録画済み番組の再生処理を示すフローチャートである。
【図７】同実施の形態１に係る親機で「録画」中の番組を子機でも録画する処理を示すフローチャートである。
【図８】同実施の形態１に係る親機で現在視聴中・録画中の番組を子機で録画予約処理を示すフローチャートである
【図９】この発明の実施の形態２に係る視聴情報のデータ構成例を示す説明図である。
【図１０】同実施の形態に２に係る親機における視聴情報の送信処理を示すフローチャートである。
【図１１】同実施の形態２に係る親機での「録画済み番組の再生」に対する子機での録画済み番組の再生処理を示すフローチャートである。
【発明を実施するための形態】
【００１０】
以下、この発明をより詳細に説明する為に、この発明を実施するための形態について、添付の図面に従って説明する。
実施の形態１．
図１は、この発明の実施の形態１による番組コンテンツ視聴システムの構成を示すブロック図である。
図において、２台のコンテンツ受信記録再生装置１００，２００がネットワーク３００を介して視聴情報管理サーバ４００に接続されている。コンテンツ受信記録再生装置１００，２００は、基本的に同じ機能構成を持った装置である。コンテンツ受信記録再生装置１００についてその構成を説明する。なお、この実施の形態１では、放送波による番組を対象として説明する。
コンテンツ受信記録再生装置１００は、放送波を受信する番組受信手段１０１、番組コンテンツを表示する例えば液晶などの表示手段１０２、表示手段１０２に表示させる視聴番組をユーザ操作により選択する入力手段１０３、ネットワーク３００を介して他機器との通信を行う通信手段１０４、放送波に含まれる番組コンテンツを記録蓄積する（以下録画する）記録蓄積手段１０５、ＥＰＧ（Electronic Program Guide）情報を受信するＥＰＧ受信手段１０６、各手段を後述のように制御する制御手段１０７を備えている。
なお、視聴する番組の選択を行う入力手段１０３は、当該装置１００が後述する子機として使用される場合には、放送波の番組は勿論のこと、「親機（この場合相手装置２００が相当）と同じ番組を視聴する」という選択機能（この選択を、以降オプションと呼ぶ）を含むものとする。
また、記録蓄積手段１０５は録画機能であり、ユーザからの指示により現在放送中の番組を録画する機能、将来放送予定の番組の録画を予約する機能、後述する制御によって自動的に番組を予約録画する機能を有しているものとする。
【００１１】
ここで、コンテンツ受信記録再生装置１００，２００は、装置自らに関連付けられたＩＤなどの識別情報およびパスワードなどの認証情報を所有しているものとする。視聴情報管理サーバ（以下サーバとする）４００は、コンテンツ受信記録再生装置１００，２００の識別情報および認証情報を登録し所有しているものとする。また、コンテンツ受信記録再生装置１００，２００は、一方を親機、他方を子機として関連付けてネットワーク３００に接続される。そのため、サーバ４００では、コンテンツ受信記録再生装置１００，２００同士を親機・子機として関連付ける設定情報も登録保持するものとする。
以下の説明では、コンテンツ受信記録再生装置１００を親機、コンテンツ受信記録再生装置２００を子機として説明するが、両装置は同じ構成を持っているので、両者は親機・子機の関係を逆に設定することで役割を入れ替えることもできる。なお、親機１００と子機２００は同一の構成としているため、以下の説明では、子機２００を構成する各部には、親機１００の対応する各部の符号の後に「ｂ」を付けて示す。
【００１２】
親機１００によってサーバ４００へ送られる視聴情報は、制御手段１０７によって作られる情報であり、図２に例示するようなデータ構成を持つ。図２において、２０１は親機の識別情報であるＩＤ、２０２は親機の認証情報であるパスワード、２０３はＥＰＧ情報から得られる受信中の番組名、２０４はＥＰＧ情報から得られる番組２０３の送信局名（放送局、配信局、チャネル番号など）、２０５は親機における番組の現在の利用状態を表す動作モード名である。動作モード名２０５には、例えば、受信番組を表示手段１０２で表示していることを示す「視聴」、視聴を終了したことを示す「視聴終了」、受信番組を記録蓄積手段１０５に記録していることを示す「録画」、録画を終了したことを示す「録画終了」、録画済み番組を再生していることを示す「録画済み番組の再生」、録画済み番組の再生が終了したことを示す「録画済み番組の再生終了」等のいずれかが記載される。
【００１３】
まず、親機１００の動作について説明する。
親機のユーザが入力手段１０３によって放送中の番組から視聴する番組の選択を行うと、制御手段１０７は、選択された番組を受信するよう番組受信手段１０１を制御し、受信した番組のコンテンツを表示手段１０２で表示させる。また、このユーザによって選択された番組が表示された際、制御手段１０７は通信手段１０４を介して視聴情報をサーバ４００に送信する。なお、視聴情報は、親機のユーザが記録蓄積手段１０５により録画を行った際、および予約録画が設定された時間となり録画が始まった際なども含め、親機の動作モードの変更時にも送信される。
【００１４】
制御手段１０７における視聴情報の送信処理を図３のフローチャートにより説明する。
まず、番組選択または録画開始を待ちうける（ステップＳＴ３０１）。番組選択または録画開始が生じると、選択された番組を表示するか、またはその録画を開始する（ステップＳＴ３０２）。その後、一定時間だけ新たな番組選択または録画開始の割り込みがあるかを待つ（ステップＳＴ３０３）。これは短い時間に頻繁に視聴情報を送信することを防ぐための動作であり、待ち時間は数秒程度が望ましいが、場合によって全く待つことなく次の処理を行ってもよい。一定時間内に新たな番組選択もしくは録画開始の割り込みがあればＳＴ３０２へ戻り、割り込みがなければ、次のステップＳＴ３０５へと移る（ステップＳＴ３０４）。
【００１５】
ＳＴ３０５では、制御手段１０７は、ユーザが番組選択した番組または録画開始した番組に関する視聴情報を作成する。次に、作成した視聴情報を、通信手段１０４を用いてサーバ４００に送信する（ステップＳＴ３０６）。この場合、視聴情報には、当該視聴情報が自機からのものであることをサーバ４００に識別・認証させるために、図２に例示するように、自機に関連付けた識別情報（ＩＤなど）と認証情報（パスワードなど）を記載して送信する。
【００１６】
サーバ４００では、視聴情報を受信すると、その識別情報および認証情報によって親機１００の識別・認証を行った後、受信した視聴情報を格納する。サーバ４００は、子機２００からの定期的な問い合わせを受けるか、あるいはポートが開放された子機２００に対して、格納した視聴情報を送信する。
親機１００において、やがて、ユーザが番組の視聴を終了させた場合（装置をＯＦＦにするなど）または録画が終了した場合（予約録画された番組の放送が終了するなど）には、動作モード名として「視聴終了」または「録画終了」を記載（コード記載）した視聴情報を送信する。
【００１７】
次に、子機２００の動作について説明する。
まず、子機のユーザが入力手段１０３ｂによって放送中の任意の番組を選択した場合、制御手段１０７ｂは、選択された番組を受信するよう番組受信手段１０１ｂを制御し、受信した番組のコンテンツを表示手段１０２ｂに表示させる。また、制御手段１０７ｂは通信手段１０４ｂを介して、子機２００が所有する、自らに関連付けられた識別情報および認証情報をサーバ４００に送信し、サーバ４００に子機であることを識別・認証させる。その後、サーバ４００系由で親機１００から視聴情報を受信する。なお、視聴情報は、子機２００が短い間隔で定期的にサーバ４００に問い合わせを行うか、あるいはポートを開放してサーバ４００からの通知を常時受け付け可能とすることにより受信できるようになる。
子機２００において、ユーザは入力手段１０３ｂによって、通常の放送番組を選択する以外の「親機と同一の番組を視聴する」というオプションを選択することができる。
【００１８】
ここで、子機２００は、親機１００と地理的に離れたところに存在してもよいわけで、その場合、子機２００が在る地区で放送されている番組と親機１００が在る地区で放送されている番組とは常に同一であるとは限らない。また、同一の番組が一週間遅れなどで別の区域で放送される場合があり、将来放送予定であることはＥＰＧから判明できることもある。そのため、ここでは、ＥＰＧ上の番組名が同一であることをもって番組が同一であるとする。
子機のユーザが入力手段１０３ｂによってオプションを選択した際、子機２００の制御手段１０７ｂは、親機１００の最新の視聴情報および子機２００においてユーザが現在視聴中である番組名に基づき、例えば以下の優先順位に従って視聴可能な番組を順に検索・判定することで表示手段１０２ｂに表示する。
表示可能な優先順位：
（１）親機が表示中の番組
（２）親機が現在再生中の録画番組
（３）親機ユーザが既に再生視聴済みの録画番組
この検索・判定は、ユーザがオプションを選択する、親機１００の視聴情報が更新される、または一番組の放送が終了する度に行われ、表示する番組が更新される。以上のいずれにもあてはまる番組がなかった場合には何も表示しない。
【００１９】
次に、上記優先順位に挙げた番組の表示可能性をそれぞれどのように検索・判定を行うかを各優先順位項目ごとに説明する。
（１）親機１００が視聴中の番組は、視聴情報中の動作モード名が「視聴」であり、かつ同一の番組が子機２００の在る地区においても現在放送されている場合に表示可能である。同一の番組が子機２００の在る地区においても現在放送されていることは、ＥＰＧ受信手段１０６ｂにより受信されるＥＰＧ情報から番組名を検索することによって判断する。
このときの制御手段１０７ｂの処理フローを図４に従って説明する。受信した親機１００の最新の視聴情報中の動作モードが「視聴」であるかを判定する（ステップＳＴ４０１）。「視聴」であれば、ＥＰＧ受信手段１０６ｂで受信されるＥＰＧ情報から視聴情報に含まれた番組名を検索する（ステップＳＴ４０２）。同一の番組が現在放送されていれば（ステップＳＴ４０３）、当該番組のコンテンツを受信し表示手段１０２ｂに表示させる（ステップＳＴ４０４）。なお、ＳＴ４０１で動作モード名に「視聴」が無かった場合、またＳＴ４０３で同一の番組が現在放送されていない場合には、表示を行わずそのまま終了する。
【００２０】
（２）親機１００が現在再生中の録画番組は、視聴情報中の動作モード名が「録画済み番組の再生」であり、同一の番組が子機２００の録画機能により既に録画されている場合に表示可能となる。
このときの制御手段１０７ｂの処理フローを図５に従って説明する。親機１００の最新の視聴情報中の動作モードが「録画済み番組の再生」であるかを判定する（ステップＳＴ５０１）。「録画済み番組の再生」であれば、記録蓄積手段１０５ｂから、子機２００における録画済みの番組の受信情報に同一番組名を持つものがあるかを検索する（ステップＳＴ５０２）。同一番組が記録蓄積手段１０５ｂに蓄積されていれば（ステップＳＴ５０３）、当該番組の録画済みコンテンツを再生させて表示手段１０２ｂに表示させる（ステップＳＴ５０４）。しかるのちに、同じ番組を複数回表示させることのないよう該番組を削除する（ステップＳＴ５０５）。なお、ＳＴ５０１で動作モード名に「録画済み番組の再生」が無かった場合、またＳＴ５０３で同一番組が蓄積されていない場合には、再生表示を行わずそのまま終了する。
【００２１】
（３）親機ユーザが既に再生視聴済みの録画番組は、子機２００の録画機能により録画済みの番組が存在し、過去に受信された親機１００の視聴情報に同一の番組名があり、かつ動作モード名が「録画済み番組の再生」となっているものが過去に受信されている場合に表示可能である。
このときの制御手段１０７ｂの処理フローを図６に従って説明する。制御手段１０７ｂは、記録蓄積手段１０５ｂに録画されている番組の中から、後述する自動録画機能により録画された番組を検索する（ステップＳＴ６０１）。自動録画機能により録画された番組が蓄積されていれば（ステップＳＴ６０２）、その番組に後述する「親機において再生済み」であるフラグが立っているかを判定する（ステップＳＴ６０３）。フラグが立っていれば、当該録画されている番組のコンテンツを再生させ、表示手段１０２ｂに表示させる（ステップＳＴ６０４）。しかるのちに、同じ番組を複数回表示することのないよう該番組を削除する（ステップＳＴ６０５）。なお、ＳＴ６０２で自動録画機能により録画された番組が無かった場合、またＳＴ６０３で「親機において再生済み」であるフラグが立っていなかった場合には、再生表示を行わずそのまま終了する。
【００２２】
上記優先順位項目（２）と（３）における録画済番組に対する再生処理を行えるようにするために、先立って子機２００において録画に対する以下のような処理を行う。
制御手段１０７ｂは、親機１００の最新の視聴情報および子機２００において視聴中である番組名に基づき、例えば以下のリストの優先順位に従って録画可能な番組のうちから最も優先順位の高いものを検索し、録画するよう記録蓄積手段１０５ｂを制御する。
録画可能な優先順位：
１）子機のユーザからの録画指示のある番組
２）親機が録画中の番組
３）後述する自動予約録画制御による予約録画番組
この検索・判定は、親機１００の視聴情報が更新される、または子機２００で視聴中の番組が切り替わる、または一番組の録画が終了する度に行われ、録画する番組が切り替えられる。以上のいずれもあてはまる番組がなかった場合は何も録画しない。
【００２３】
次に、この優先順位に挙げた番組をそれぞれどのように検索・判断を行うかを各優先順位項目ごとに説明する。
１）子機のユーザからの録画指示のある番組は、記録蓄積手段１０５ｂによってユーザから、現在放送中の番組を録画する指示を受け付けた場合、または将来放送予定である番組の録画を予約する指示を過去に受け付け、その番組が現在放送中である場合に録画可能である。
【００２４】
２）親機１００が録画中の番組は、視聴情報中の動作モード名が「録画」であり、かつ同一の番組が子機２００の在る地区においても現在放送されている場合に録画可能である。同一の番組が子機２００の在る地区においても現在放送されていることは、ＥＰＧ受信手段１０６ｂにより受信されるＥＰＧ情報から番組名を検索することによって判断する。
このときの制御手段１０７ｂの処理フローを図７に従って説明する。親機１００の最新の視聴情報の動作モード名が「録画」であるかを判定する（ステップＳＴ７０１）。「録画」であれば、ＥＰＧ受信手段１０６ｂで受信されるＥＰＧ情報から視聴情報に含まれた番組名を検索する（ステップＳＴ７０２）。同一の番組が現在放送されていれば（ステップＳＴ７０３）、当該番組を記録蓄積手段１０５ｂに録画させる（ステップＳＴ７０４）。なお、ＳＴ７０１で動作モード名に「録画」が無かった場合、またＳＴ７０３で同一の番組が現在放送されていない場合には、録画を行わずそのまま終了する。
【００２５】
３）自動予約録画制御による予約録画番組は、以下に述べる制御によって予約録画が行われた番組が現在放送中である場合に録画可能である。自動予約録画制御では、親機１００が現在視聴中・録画中の番組が、子機２００が在る地区で現在は放送されていないが、ＥＰＧ受信手段１０６ｂで受信されたＥＰＧ情報から検索することにより将来放送予定であると判断される場合に、当該番組に対して自動的に録画を予約する。
このときの制御手段１０７ｂによる録画予約の制御を図８のフローに従って説明する。親機１００の最新の視聴情報の動作モード名が「視聴」または「録画」であるかを判定する（ステップＳＴ８０１）。「視聴」または「録画」である場合には、ＥＰＧ受信手段１０６ｂで受信されるＥＰＧ情報から視聴情報に含まれた番組名を検索する（ステップＳＴ８０２）。同一の番組が子機２００が在る地区で現在放送されていないが（ステップＳＴ８０３）、将来放送される場合には（ステップＳＴ８０４）、当該番組を記録蓄積手段１０５ｂに録画させる予約を行う（ステップＳＴ８０５）。なお、ＳＴ８０１で動作モード名に「視聴」も「録画」も無かった場合、またＳＴ８０３で同一の番組が子機２００が或る区域で現在放送されている場合、またＳＴ８０４で同一の番組が将来放送されない場合には、予約録画は行わずそのまま終了する。
【００２６】
上記の制御によって録画された番組は、親機１００からの視聴情報において番組名が該当番組であり、かつ動作モード名が「録画済み番組の再生」であった場合に、逐次「親機において再生済み」であるフラグを立てる。
【００２７】
以上のように、この実施の形態１によれば、２つのコンテンツ受信記録再生装置を親機と子機にしてネットワークにつなぎ、親機は、視聴する番組の受信選択時、受信番組の録画時、録画番組の再生時および各動作の終了時に、対応する番組名、送信局名および親機の現在の動作モード名を含む視聴情報を作成して視聴情報管理サーバ経由で子機に送信し、子機は、放送番組を選択する入力手段に設けられた「親機と同一の番組を視聴する」というオプションが選択されている場合、視聴情報管理サーバから受信した親機の最新の視聴情報に基づいて、親機が受信表示または受信録画していると同じ局名の番組を受信表示または受信録画するようにしている。したがって、親機のユーザは一般的な番組選択、番組録画、再生のみの操作で、放送番組または録画番組を視聴し、一方、子機のユーザは受信番組選択に設けたオプションを選択する以外に特別な操作を一切することなく、親機と同じ放送番組または録画番組を簡便に視聴することが可能になる。また、親機のユーザが過去に録画した番組を、子機のユーザが、オプションを選択する以外の操作を一切することなく、簡便に視聴することが可能になるため、子機のユーザがオプションを選択した際に番組を視聴可能な場合をできる限り多くすることができる。これにより、子機のユーザが特に視聴したい番組がないときにも親機と同じ番組を簡便な操作で視聴することができる。
【００２８】
なお、上記例では、番組受信手段１０１から受信する放送波に含まれる番組のみを対象とした構成について説明してきたが、通信手段１０４その他の手段で受信する、例えばＶｏＤ（Video on Demand）などのネット配信サービスの番組やＤＬＮＡ（Digital Living Network Alliance）ガイドライン対応機器からの番組を対象とした構成としてもよい。
また、上記例では、親機１台に対して子機１台の組み合わせについて説明してきたが、親機１台に対して子機を複数台とする組み合わせとしても同様な制御を行うことができる。
また、視聴情報管理サーバ４００は、この実施の形態１で述べるサービス以外の他のサービス、たとえばＳＮＳ（Social Networking Service）などのサービスを同時に提供するサーバであってもよい。
【００２９】
実施の形態２．
この発明の実施の形態２における放送受信記録再生装置の構成は、図１によって説明される実施の形態１における放送受信記録再生装置と基本的に同様である。ただし、制御手段１０７による装置の制御方法が、後述するように実施の形態１と異なる。
親機１００によってサーバ４００へ送られる視聴情報は、制御手段１０７によって作られる情報であり、図９に例示するようなデータ構成を持つ。図９において、２０１〜２０５は図２に示すものと同じであるため説明を省略する。９０１は親機の動作モード２０５が「録画済み番組の再生」であるときに設定される再生時間位置である。
【００３０】
次に実施の形態２における親機１００の動作について説明する。
親機１００は、実施の形態１で述べたように制御手段１０７によって制御される。ただし視聴情報の送信は、実施の形態１で述べたタイミングに加えて、親機１００が録画済み番組を視聴中には、早送り・巻き戻し・一時停止などの特殊再生操作が完了して通常再生に移行した際にも行う。
【００３１】
制御手段１０７における視聴情報の送信処理を図１０のフローチャートにより説明する。  図１０は実施の形態１における図３に対応するもので、図３と同じ番号を持つステップ（ＳＴ３０４以降）は同じものを指すため説明を省略する。まず、番組選択もしくは録画もしくは録画番組の通常再生の開始を待ち受ける（ステップＳＴ１００１）。番組選択もしくは録画もしくは録画番組の通常再生の開始が生じると、それに対応した動作を行う（ステップＳＴ１００２）。
その後、一定時間だけ新たな番組選択もしくは録画もしくは録画番組の通常再生の開始の割り込みがあるかを待つ（ステップＳＴ１００３）。これは実施の形態１で述べたように、短い時間に頻繁に使用情報を送信することを防ぐための動作である。そして一定時間内に新たな番組選択もしくは録画開始の割り込みがあればＳＴ１００２へ戻り、割り込みがなければ、次のステップＳＴ３０５へと移る（ステップＳＴ３０４）。以降のステップに関する動作については実施の形態１に示したものと同様であるため説明を省略する。
【００３２】
サーバ４００で視聴情報を受信した際の動作についても実施の形態１と同様であるため説明を省略する。また、親機１００において動作モード名として「視聴終了」または「録画終了」を記載（コード記載）した視聴情報を送信する。当該動作も実施の形態１と同様であるため説明を省略する。
【００３３】
次に、子機２００の動作について説明する。
子機２００の動作は基本的に実施の形態１と同様である。ただし、親機１００が現在再生中の録画番組の表示方法については実施の形態１と異なる。
親機１００が現在再生中の録画番組は、視聴情報中の動作モード名が「録画済み番組の再生」であり、同一の番組が子機２００の録画機能により既に録画されている場合に表示可能となる。この点は実施の形態１と同様である。
【００３４】
このときの制御手段１０７ｂの処理フローを図１１に従って説明する。図１１は実施の形態１における図５に対応するもので、図５と同じ番号を持つステップは同じものを指し、ステップＳＴ５０１〜ＳＴ５０３に関する動作については実施の形態１に示したものと同じであるため説明を省略する。
ステップＳＴ５０３の判定がＹＥＳであれば、当該番組の録画済みコンテンツを再生させて表示手段１０２ｂに表示させる（ステップＳＴ１１０１）。ただしこのとき、視聴情報に含まれる再生時間位置を参照し、同じ再生時間位置から再生を開始する。その後新たな視聴情報が受信され、その視聴情報の再生時間位置が更新されている場合には（ステップＳＴ１１０２）ステップＳＴ１１０１に戻り、その再生時間位置から番組表示を再開する。視聴情報の再生時間位置が更新されていない場合には該番組表示を継続し、しかるのちに、同じ番組を複数回表示させることのないよう該番組を削除する（ステップＳＴ５０５）。
【００３５】
以上のように、この実施の形態２によれば、親機は録画済み番組の再生中には再生時間位置をも含む視聴情報を作成して視聴情報管理サーバ経由で子機に送信し、子機は、その視聴情報に基づいて親機が表示しているものと同じ番組を、同じ再生時間位置で表示するようにしている。したがって、実施の形態１で述べたほかにも、子機のユーザは受信番組選択に設けたオプションを選択する以外に特別な操作を一切することなく、親機と同じ録画番組であり、親機と同じ再生時間位置を簡便に視聴することが可能になる。これにより、子機のユーザが親機と同じ番組の同じ時間位置を簡便な操作で視聴することができる。
なお、実施の形態２においても実施の形態１と同様に、ＶｏＤやＤＬＮＡ対応機器からの番組を対象として構成としてもよい。また、親機１台に対して子機を複数台としてもよい。
【産業上の利用可能性】
【００３６】
この発明に係るコンテンツ受信再生装置は、親機のユーザは一般的な番組選択、番組録画、再生のみの操作で、放送や配信される番組または録画番組を視聴し、一方、子機のユーザは視聴番組選択に設けたオプションを選択する以外に特別な操作を一切することなく、親機と同じ受信番組または録画番組を簡便に視聴することができるため、同じ番組を２台で別々に取得するが、同時に同じ動作形態で利用する番組コンテンツ視聴システムおよびこれに使用するコンテンツ受信記録再生装置等に用いるのに適している。
【図１】
2010073506.tif 000003
【図２】
2010073506.tif 000004
【図３】
2010073506.tif 000005
【図４】
2010073506.tif 000006
【図５】
2010073506.tif 000007
【図６】
2010073506.tif 000008
【図７】
2010073506.tif 000009
【図８】
2010073506.tif 000010
【図９】
2010073506.tif 000011
【図１０】
2010073506.tif 000012
【図１１】
2010073506.tif 000013
【国際調査報告】
2010073506.tif 000014
2010073506.tif 000015
2010073506.tif 000016